(57)【特許請求の範囲】
【請求項１】
基地局と、前記基地局からマルチパス経由で受信される拡散信号を各逆拡散手段により各々逆拡散し、該各逆拡散出力を同期検波して合成する機能を有する移動局とから成る符号分割多元接続方式の無線通信システムの前記移動局として用いる移動無線端末において、
前記マルチパス経由で受信された拡散信号を相関器で逆拡散して得た相関値からマルチパスを検索するパスサーチ手段と、
前記パスサーチ手段によるパスサーチ結果を格納するパステーブルと、
前記基地局から下り報知チャネルを用いて該基地局のサービスエリア内の全ての移動局に報知される当該サービスエリアの受信難易度を示す受信難易度情報を受信する受信手段と、
前記基地局から報知された前記受信難易度情報に基づき前記パスサーチ手段のパスサーチ制御値を可変設定すると共に、該可変設定後のパスサーチにより前記パステーブルに格納されたパスサーチ結果または前記基地局から報知された受信難易度情報に基づき前記逆拡散手段の逆拡散制御値を可変設定するマルチパス制御値設定手段と
を具備することを特徴とする移動無線端末。
【請求項２】
前記マルチパス制御値設定手段は、前記パスサーチ制御値として、パスサーチ窓幅、パスサーチ周期、検出パス数、パスサーチの累積シンボル数のうちの少なくともいずれか１つを可変設定し、前記逆拡散制御値として、少なくとも動作させる逆拡散手段の数を可変設定する
ことを特徴とする請求項１記載の移動無線端末。
【請求項３】
基地局と、前記基地局からマルチパス経由で受信される拡散信号を各逆拡散手段により各々逆拡散し、該各逆拡散出力を同期検波して合成する機能を有する移動局とから成る符号分割多元接続方式の無線通信システムの前記移動局として用いる移動無線端末において、
前記マルチパス経由で受信された拡散信号を相関器で逆拡散して得た相関値からマルチパスを検索するパスサーチ手段と、
前記パスサーチ手段によるパスサーチ結果を格納するパステーブルと、
自端末の位置を検出する位置情報検出手段と、
前記基地局から下り報知チャネルを用いて該基地局のサービスエリア内の全ての移動局に報知される当該サービスエリア内の受信難地点の位置を示す受信難地点位置情報を受信する受信手段と、
前記位置情報検出手段により検出された自端末の位置が、前記基地局から報知された受信難地点位置情報に対応する地点から所定距離まで近づいたか否かを判定する判定手段と、
前記判定手段により前記所定距離まで近づいたと判定された場合、前記基地局から報知された前記受信難地点位置情報に基づき前記パスサーチ手段のパスサーチ制御値を可変設定すると共に、該可変設定後のパスサーチにより前記パステーブルに格納されたパスサーチ結果または前記基地局から報知された受信難地点位置情報に基づき前記逆拡散手段の逆拡散制御値を可変設定するマルチパス制御値設定手段と
を具備することを特徴とする移動無線端末。
【請求項４】
前記マルチパス制御値設定手段は、前記パスサーチ制御値として、パスサーチ窓幅、パスサーチ周期、検出パス数、パスサーチの累積シンボル数のうちの少なくともいずれか１つを可変設定し、前記逆拡散制御値として、少なくとも動作させる逆拡散手段の数を可変設定する
ことを特徴とする請求項３記載の移動無線端末。
【請求項５】
前記判定手段により前記所定距離まで近づいたと判定された場合、前記基地局に送信電力を増大させるように指示する指示手段
を具備することを特徴とする請求項３記載の移動無線端末。
【請求項６】
前記判定手段により前記所定距離まで近づいたと判定された場合、その旨の警報を報知する警報報知手段
を具備することを特徴とする請求項３記載の移動無線端末。
【発明の詳細な説明】
【０００１】
【発明の属する技術分野】
本発明は、基地局と、該基地局からマルチパス経由で受信される拡散信号を各々逆拡散し、該各逆拡散出力を同期検波して合成する機能を有する移動局とから成る符号分割多元接続方式の無線通信システムにおいて、前記移動局として用いられ、前記基地局から伝送される受信環境情報に基づくマルチパスサーチ制御機能を有する移動無線端末に関する。
【０００２】
【従来の技術】
対雑音特性、対干渉特性に優れた通信システムとして、直接拡散スペクトラム拡散（ＤＳ−ＳＳ）通信システムがある。
【０００３】
この通信システムでは、情報信号を、その信号よりもはるかに広い帯域の拡散符号で帯域拡散して無線通信を行う。
【０００４】
無線通信においては、伝送路上の電波の通り道（以下、パスという）は、建物等での反射、回折、透過により様々な経路（マルチパス）を辿り、それにより、受信機への各パスからの帯域拡散信号の到着時刻が異なる。
【０００５】
ところで、この帯域拡散された信号を受信する際、このシステムは到着時刻の異なるパスを分離・合成することができるという特徴がある。
【０００６】
分離されたパスを個々に逆拡散する部分をフィンガ回路と呼び、逆拡散されたパス信号を同期検波し、合成する回路をＲＡＫＥ合成回路と呼ぶ。
【０００７】
かかる構成の受信機には、フィンガ回路及びＲＡＫＥ合成回路によるマルチパスの分離・合成に際してマルチパスを検索（サーチ）し、該サーチ結果に基づき受信フィンガ数を決定する等の制御機能が設けられる。
【０００８】
この種の従来システムでは、受信機でマルチパスをサーチする際、現在のマルチパス環境もしくは受信難易度等は基地局から知らされることはなく、受信機独自の判断でパスサーチを行っていた。
【０００９】
このため、マルチパス環境によっては、必要以上にパスサーチを行ってしまい、パスサーチ時間が長くなりかつ消費電流も増大することとなったり、逆に不充分なパスサーチしか行われないために受信品質が低下することがあった。
【００１０】
【発明が解決しようとする課題】
このように、上記従来システムでは、移動局が独自の判断でパスサーチを行っていたため、現在の受信環境に合致したパスサーチを行えるとは限らず、例えば、受信環境が良好にも拘わらず必要以上にパスサーチを行ってしまうことによりサーチ時間が長くかつ消費電流が増大する事態を招いたり、逆に受信環境が悪いのに不充分なパスサーチしか行われない結果、満足する受信品質が得られなくなるという問題点があった。
【００１１】
本発明は上記問題点を除去し、受信環境に合った効率の良いパスサーチを行うことができ、パスサーチの高速化、消費電力低減を図りながら良好な受信品質を得ることのできる無線通信システムの移動無線端末を提供することを目的とする。
【００１２】
【課題を解決するための手段】
上記目的を達成するために、請求項１記載の発明は、基地局と、前記基地局からマルチパス経由で受信される拡散信号を各逆拡散手段により各々逆拡散し、該各逆拡散出力を同期検波して合成する機能を有する移動局とから成る符号分割多元接続方式の無線通信システムの前記移動局として用いる移動無線端末において、前記マルチパス経由で受信された拡散信号を相関器で逆拡散して得た相関値からマルチパスを検索するパスサーチ手段と、前記パスサーチ手段によるパスサーチ結果を格納するパステーブルと、前記基地局から下り報知チャネルを用いて該基地局のサービスエリア内の全ての移動局に報知される当該サービスエリアの受信難易度を示す受信難易度情報を受信する受信手段と、前記基地局から報知された前記受信難易度情報に基づき前記パスサーチ手段のパスサーチ制御値を可変設定すると共に、該可変設定後のパスサーチにより前記パステーブルに格納されたパスサーチ結果または前記基地局から報知された受信難易度情報に基づき前記逆拡散手段の逆拡散制御値を可変設定するマルチパス制御値設定手段とを具備することを特徴とする。
【００１３】
請求項２記載の発明は、上記請求項１記載の発明において、前記マルチパス制御値設定手段は、前記パスサーチ制御値として、パスサーチ窓幅、パスサーチ周期、検出パス数、パスサーチの累積シンボル数のうちの少なくともいずれか１つを可変設定し、前記逆拡散制御値として、少なくとも動作させる逆拡散手段の数を可変設定することを特徴とする。
【００１４】
請求項３記載の発明は、基地局と、前記基地局からマルチパス経由で受信される拡散信号を各逆拡散手段により各々逆拡散し、該各逆拡散出力を同期検波して合成する機能を有する移動局とから成る符号分割多元接続方式の無線通信システムの前記移動局として用いる移動無線端末において、前記マルチパス経由で受信された拡散信号を相関器で逆拡散して得た相関値からマルチパスを検索するパスサーチ手段と、前記パスサーチ手段によるパスサーチ結果を格納するパステーブルと、自端末の位置を検出する位置情報検出手段と、前記基地局から下り報知チャネルを用いて該基地局のサービスエリア内の全ての移動局に報知される当該サービスエリア内の受信難地点の位置を示す受信難地点位置情報を受信する受信手段と、前記位置情報検出手段により検出された自端末の位置が、前記基地局から報知された受信難地点位置情報に対応する地点から所定距離まで近づいたか否かを判定する判定手段と、前記判定手段により前記所定距離まで近づいたと判定された場合、前記基地局から報知された前記受信難地点位置情報に基づき前記パスサーチ手段のパスサーチ制御値を可変設定すると共に、該可変設定後のパスサーチにより前記パステーブルに格納されたパスサーチ結果または前記基地局から報知された受信難地点位置情報に基づき前記逆拡散手段の逆拡散制御値を可変設定するマルチパス制御値設定手段とを具備することを特徴とする。
【００１５】
請求項４記載の発明は、上記請求項３記載の発明において、前記マルチパス制御値設定手段は、前記パスサーチ制御値として、パスサーチ窓幅、パスサーチ周期、検出パス数、パスサーチの累積シンボル数のうちの少なくともいずれか１つを可変設定し、前記逆拡散制御値として、少なくとも動作させる逆拡散手段の数を可変設定することを特徴とする。
【００１６】
請求項５記載の発明は、上記請求項３記載の発明において、前記判定手段により前記所定距離まで近づいたと判定された場合、前記基地局に送信電力を増大させるように指示する指示手段を具備することを特徴とする。
【００１７】
請求項６記載の発明は、上記請求項３記載の発明において、前記判定手段により前記所定距離まで近づいたと判定された場合、その旨の警報を報知する警報報知手段を具備することを特徴とする。
【００２１】
【発明の実施の形態】
以下、本発明の実施の形態について添付図面を参照して詳細に説明する。
【００２２】
図１は、本発明に係わるＣＤＭＡ（符号分割多元接続）無線通信システムの全体構成を示す図である。
【００２３】
このシステムは、有線回線に接続される基地局１０と、該基地局１０のサービスエリア１５内で当該基地局１０と直接拡散スペクトラム拡散（ＤＳ−ＳＳ）通信方式により無線通信を行う移動局２０とにより構成される。
【００２４】
図２は、図１のシステムにおける移動局２０の機能構成を示すブロック図である。
【００２５】
図２に示すように、移動局２０は、アンテナ２０１、ＲＦ回路２０２、Ａ／Ｄ変換器２０３、相関器２０４、信号電力積分器２０５、パスサーチ部２０６、パステーブル２０７、上位制御部２０８、マルチパス制御値推定部２０９、逆拡散器２１０、ＲＡＫＥ合成器２１１等を備えて構成される。
【００２６】
この移動局２０では、基地局１０から送られてくる拡散信号をアンテナ２０１により受信する。この場合、基地局１０から送信される拡散信号は、該基地局１０と移動局２０との間のマルチパス環境によって、複数のパス（例えば、図４におけるパスＰ１，パスＰ２，パスＰ３）経由で移動局２０のアンテナ２０１に受信される。
【００２７】
アンテナ２０１により受信された各パスからの拡散信号は、順次、ＲＦ回路２０２で周波数変換された後、Ａ／Ｄ変換器２０３でＡ／Ｄ変換され、サンプリングされた受信ベースバンド信号として出力される。
【００２８】
Ａ／Ｄ変換器２０３から出力される受信ベースバンド信号は、相関器２０４及び逆拡散器２１０に入力される。
【００２９】
相関器２０４は同期捕捉を行う拡散符号をタップ係数として持ち、Ａ／Ｄ変換器２０３から入力される受信ベースバンド信号を逆拡散して、相関値を信号電力積分器２０４に出力する。
【００３０】
図３は、相関器２０５の出力信号（相関値）の一例を示す概念図である。
【００３１】
図３に示すように、相関器２０５は、規定周期ｔ０毎に時間長ｗのパススロットが設定され、各パススロットではそれぞれ周期ｔ１で逆拡散処理を行なってその時の相関値を出力する。
【００３２】
図３の例では、相関器２０５から出力された相関値のうち、３つのパスから受信された拡散信号の相関値（ｄ１，ｄ２，ｄ３）が有効な値となっている。各パスからの拡散信号の到来には時間差があり、遅く受信されたパスほど相関値が小さい値（ｄ１＞ｄ２＞ｄ３）となっている。
【００３３】
相関器２０４は、図３におけるパススロット時間長Ｗをパスサーチ窓幅として可変設定できる構成となっている。また、図３における各パススロット内での相関値出力周期ｔ１をパスサーチ周期として可変設定できる構成となっている。
【００３４】
上述したパスサーチ窓幅、パスサーチ周期は、それ以外の種々のパスサーチ制御値と共に後述するマルチパス制御値推定部２０９によって設定され、相関器２０５は、マルチパス制御値推定部２０９から設定されたパスサーチ窓幅、パスサーチ周期で逆拡散結果を規定周期毎に出力する。
【００３５】
なお、図３におけるパスサーチ窓幅の場合、３つのパスからの受信ベースバンド信号の相関値のみが有効な値となっているため、この場合に動作させる逆拡散器２１０の数、つまり受信フィンガ数は３つで済むことになる。
【００３６】
マルチパス制御値推定部２０９は、上述したパスサーチ窓幅、パスサーチ周期を相関器２０４に設定する制御と共に、上記受信フィンガ数を決定してその数分の逆拡散器２１０を動作させる制御も行う。
【００３７】
このマルチパス制御値推定部２０９の制御動作については、後で詳しく述べるものとする。
【００３８】
さて、相関器２４０の後段の信号電力積分器２０５では、相関器２０４からの相関出力電力値を一定期間積分し、その積分結果をパスサーチ部２０６に出力する。
【００３９】
パスサーチ部２０６は、信号電力積分器２０５からの出力をパススロット内位相〔図３（ａ）参照〕と共に取り込み、相関出力の大きいパスのパススロット内位相を検出する。
【００４０】
パスサーチ部２０６は、信号電力積分器２０５の出力を更に電力加算して、比較的長い逆拡散出力結果を用い、比較的高レベルのパスのパススロット内位相を検出し、その検出結果をパステーブル２０７に格納する。
【００４１】
一方、Ａ／Ｄ変換器２０３から出力される受信ベースバンド信号のもう１つの入力先である逆拡散器２１０は以下のように動作する。
【００４２】
すなわち、逆拡散器２１０は複数用意され、Ａ／Ｄ変換器２０３からの受信ベースバンド信号のうち、１つのパスからの受信ベースバンド信号が１つの逆拡散器２１０に入力される。
【００４３】
各逆拡散器２１０は、相関器２０４と同様、入力する受信ベースバンド信号を逆拡散して情報シンボルを抽出する。
【００４４】
ＲＡＫＥ合成器２１１は、各逆拡散器２１０から送出される複数の情報シンボルを一旦バッファ（図示せず）に蓄積し、各パス毎にタイミングが合うように当該バッファから情報シンボルを読み出し合成して出力する。
【００４５】
ＲＡＫＥ合成器２１０では、上記の如く、逆拡散器２１０からの情報シンボルを複数合成することによりマルチパスフェージングに対する耐性を高めている。
【００４６】
ＲＡＫＥ合成器２１１から出力された合成信号は、復調部（図示せず）で復調され、基地局１０から送出された信号と同様の信号として復元される。
【００４７】
このように、移動局２０では、相関器２０４、信号電力積分器２０５、パスサーチ部２０６から成る部分でマルチパスを検索（サーチ）し、そのサーチにより得られるマルチパス情報をパステーブル２０７に書込んで継続的に管理するようにしている。
【００４８】
また、この移動局２０には、パステーブル２０７に書込まれたマルチパス情報に基づき相関器２０４の逆拡散に係わるパスサーチ窓幅、パスサーチ周期等のパスサーチ制御値、あるいは動作する逆拡散器２１０の数（受信フィンガ数）等の逆拡散制御値を制御する手段として、マルチパス制御値推定部２０９が備わる。
【００４９】
特に、本発明に係わるマルチパス制御値推定部２０９は、移動局２０自身が行う上述したパスサーチ結果（パステーブル２０７に格納されたマルチパス情報）の他にも、基地局１０から送られてくる各種受信環境情報に基づきパスサーチ制御値及び逆拡散制御値を計算し、これら計算により求めた制御値を相関器１０３及び逆拡散器１０９に設定する制御機能も併せ持っている。
【００５０】
ここで、基地局１０から送られる受信環境情報としては、移動局との間のマルチパス環境を反映したマルチパス情報（例えば、先頭波からの相対遅延量、最大レベルパスからの相対遅延量、遅延広がり、パス数等）がある。
【００５１】
上記マルチパス情報は、基地局１０から下り個別制御チャネルを用いて各移動局２０毎に個別に通知される。
【００５２】
一方、移動局２０は、基地局１０から通知されるマルチパス情報を自局に対応する個別制御チャネルにより受信し、上位制御部２０８内の該当記憶エリア（図示せず）に格納する。
【００５３】
また、基地局１０から送られる受信環境情報の別の例としては、基地局１０のサービスエリア１５の受信難易度を示す受信難易度情報や、該サービスエリア１５内の受信が行い難い受信難地点（受信難スポット）の位置情報を示す受信難スポット位置情報等がある。
【００５４】
上記受信難易度情報、受信難スポット位置情報は、基地局１０から下り報知チャネルを用いて当該基地局１０のサービスエリア１５内の全ての移動局２０に報知される。
【００５５】
一方、移動局２０は、基地局１０から報知される受信難易度情報、受信難スポット情報を報知チャネルにより受信し、上位制御部２０８内の該当する記憶エリア（図示せず）に格納する。
【００５６】
なお、上述したマルチパス情報、受信難易度情報、受信難スポット情報等の受信環境情報は、主信号と同様、移動局２０のアンテナ２０１により受信された後、ＲＦ回路２０２、Ａ／Ｄ変換器２０３を経由して逆拡散器２１０で逆拡散され、更にＲＡＫＥ合成器２１１で合成された後、復調部で復調されて上位制御部２０８に転送される。
【００５７】
マルチパス制御値推定部２０９は、上位制御部２０８から上記マルチパス情報、受信難易度情報、受信難スポット情報を読み出し、これらの情報に基づいて、パスサーチ窓幅、周期、検出パス数等のパスサーチ制御値を計算し、該計算により求めたパスサーチ制御値を相関器２０４に設定して動作させることができる。
【００５８】
また、マルチパス制御値推定部２０９は、上位制御部２０８から上記マルチパス情報、受信難易度情報、受信難スポット情報を読み出し、これらの情報に基づいて、逆拡散器２１０の逆拡散処理に必要なパス情報（パス毎の受信レベル、受信品質、パススロット内位相と基地局情報等：逆拡散制御値）を計算し、該計算により求めた逆拡散制御値を逆拡散器２１０に設定して動作させることができる。
【００５９】
この逆拡散制御値の設定制御には、例えば、上位制御部２０８から読み出した上記情報に基づき動作させる逆拡散器２１０の数を決定し、その数分の逆拡散器２１０を動作させる制御も含まれる。
【００６０】
なお、マルチパス制御値推定部２０９における逆拡散制御値の設定制御については、基地局１０から送られてくる上記の各種受信環境情報に基づき逆拡散器２１０に直接逆拡散値を設定する他、まず、基地局から送られてくる上記受信環境情報に基づき相関器２０４を含むパスサーチ手段のパスサーチ制御値を可変設定すると共に、該可変設定されたパスサーチ制御値に基づく上記パスサーチ手段でのパスサーチによりパステーブル２０７に格納されたパスサーチ結果に基づき逆拡散器２１０に逆拡散制御値を可変設定するようにしても良い。
【００６１】
上述したマルチパス制御値推定部２０９の設定制御によれば、基地局１０との間のマルチパス環境に応じた適正なパスサーチ窓幅、パスサーチ周期、検出パス数でパスサーチを行えると共に、動作させる受信フィンガ数も適正に決定することができ、受信環境が良い場合には必要以上にパスサーチを行わないようにしてサーチ時間短縮及び消費電流低減を図ることができると共に、受信環境が悪い場合には充分なパスサーチを行うようにして、満足する受信品質を得られるようにすることができる。
【００６２】
次に、上位制御部２０８の該当記憶エリアに格納された受信環境情報（基地局１０から送信されるマルチパス情報、受信難易度情報、受信難スポット位置情報）と該情報に基づくパスサーチ制御について各実施例を挙げて具体例に説明する。
【００６３】
第１の実施例：
図４は、第１の実施例に係わるＣＤＭＡ無線通信システムのマルチパス環境を示す概念図である。
【００６４】
本実施例では、基地局１０と移動局２０との間に、直接波、建物４１０による反射波、建物４２０による反射波から成る３つのパスＰ１，Ｐ２，Ｐ３が存在している。
【００６５】
一般に、ＣＤＭＡ無線通信システムでは、上り（移動局２０から基地局１０方向）周波数と、下り（基地局１０から移動局２０方向）周波数は異なる。
【００６６】
しかしながら、マルチパスは地物等の反射、回折、透過等により発生するものであり、それぞれの係数は、上りと下りの周波数差は無視できる程度であるので、上りと下りのマルチパス環境は相関があると考えられる。
【００６７】
基地局１０は、移動局２０からの上り信号を受信するために移動局２０と同様の構成（図２参照）を有しており、各移動局２０から送信された上り信号のマルチパス情報を取得している。
【００６８】
ここで、基地局１０が取得するマルチパス情報としては、先頭波からの相対遅延量もしくは最大レベルパスからの相対遅延量が挙げられる。
【００６９】
基地局１０は、上記マルチパス情報を取得した後、該マルチパス情報を、下り個別制御チャネルを用いて各移動局２０に個別に通知する。
【００７０】
これに対し、各移動局２０は、基地局１０から送信される上記マルチパス情報を下り個別制御チャネルを介して受信し、上述した処理により該マルチパス情報を復調し、上位制御部２０８に格納する。
【００７１】
その後、マルチパス制御値推定部２０９は、上位制御部２０８に格納された上記マルチパス情報に基づき相関器２０４並びに逆拡散器２１０にマルチパス制御値（パスサーチ制御値及び逆拡散制御値）を設定したうえで、各パスＰ１，Ｐ２，Ｐ３から受信される拡散信号を対象にしたパスサーチ、あるいは該拡散信号の逆拡散、同期検波処理を行わせる。
【００７２】
ここで、例えば、マルチパス情報として“先頭波からの相対遅延量”が基地局１０から通知されている場合、マルチパス制御値推定部２０９は、先頭波をサーチさせるだけで、逆拡散器２１０にそれ以外のタイミングのパスについても上記情報（先頭波からの相対遅延量）から設定することが可能になる。
【００７３】
また、先頭波のタイミングが判明した後、通知された“先頭波からの相対遅延量”付近に焦点を当てて、相関器２０４、信号電力積分器２０５、パスサーチ部２０６でパスをサーチさせることで、サーチ時間短縮、受信精度向上を図ることが可能になる。
【００７４】
同様に、マルチパス情報として“最大レベルパスからの相対遅延量”が基地局１０から通知されている場合も、この最大レベルパスをサーチするだけで、逆拡散器２１０にそれ以外のタイミングのパスについても上記情報（最大レベルパスからの相対遅延量）から設定することが可能になり、また、最大レベルパスのタイミングが判明した後、通知された“最大レベルパスからの相対遅延量”付近に焦点を当ててパスをサーチすることで、サーチ時間短縮、受信精度向上を図ることができる。
【００７５】
また、基地局１０から通知するマルチパス情報としては、上記情報以外に、例えば、遅延スプレッド（遅延広がり）でも良い。
【００７６】
一般に、遅延スプレッドが大きいとは、大遅延のレベルの高いパスが存在することを示しており、この遅延スプレッド情報を基地局１０から受信した移動局２０では、マルチパス制御値推定部２０９によって、パスサーチ窓幅を可変設定することができる。
【００７７】
具体的な制御としては、遅延スプレッドが小さい時にパスサーチ窓幅を狭めることで、サーチ時間短縮、サーチ速度アップを図ることができる。
【００７８】
この他、基地局１０から通知するマルチパス情報としては、パス数でも良い。基地局１０が上り信号で受信したマルチパスのパス数（図４の場合は、パス数＝３）を下り個別制御チャネルにより各移動局２０に通知することで、各移動局２０では、現在の有効パス数が何パスあるかを把握することができる。
【００７９】
これにより、移動局２０では、マルチパス制御値推定部２０９によって、受信パス数を変化させ、必要以上に逆拡散器２１０を使用しないように制限することができ、低消費電力化が実現できる。
【００８０】
第２の実施例：
図５は、第２の実施例に係わるＣＤＭＡ無線通信システムのサービスエリア配置を示す概念図である。
【００８１】
図５において、基地局１０−１はサービスエリア１５−１をカバーしており、基地局１０−２はサービスエリア１５−２をカバーしている。ここで、サービスエリア１５−１は受信が比較的行い易いエリアであり、サービスエリア１５−２はサービスエリア１５−１よりも受信が行い難い受信難エリアである。
【００８２】
一般に、この種の無線通信の場合、受信難エリアとしては、サービスエリアのエッジ付近等、物理的に受信レベルが低いエリア以外にも、等レベルのマルチパスが多数存在するエリア、あるいはセル（移動局２０から見て接続可能な基地局１０）が多く発見できるエリア等がある。
【００８３】
これらの受信難エリアは、地物、もしくは、基地局１０のサービスエリア、基地局１０の配置状況に大きく関わりがあるため、予め予測もしくは実測することが可能である。
【００８４】
本実施例のシステムでは、基地局１０−１、１０−２のアンテナ１００−１、１００−２での受信難易度を上記予測もしくは実測により求めたうえで、該受信難易度情報を、基地局１０−１、１０−２から下り報知チャネルを用いてサービスエリア１５−１、１５−２内の全ての移動局２０に報知する。
【００８５】
一方、基地局１０−１、１０−２のサービスエリア１５−１、１５−２に入った移動局２０は、該基地局１０−１、１０−２から報知される受信難度情報を受信し、上位制御部２０８に格納する。そのうえで、マルチパス制御推定部２０９が、上位制御部２０８に格納された受信難易度情報に基づき各種マルチパス制御値を該当各部（相関器２０４、逆拡散器２１０）に設定する。
【００８６】
今、図５に示すエリア配置において、移動局２０が、サービスエリア１５−１から受信難サービスエリア１５−２に移動する場合を考える。
【００８７】
この場合、サービスエリア１５−１をカバーする基地局１０−１では、自局のアンテナ１００−１の受信難易度が低い旨が予測もしくは実測されており、サービスエリア１５−２をカバーする基地局１０−２では、自局のアンテナ１００−２の受信難易度が高い旨が予測もしくは実測されている。
【００８８】
基地局１０−１では、上記予測もしくは実測結果に基づき、サービスエリア１５−１内の全ての移動局２０に対して受信難易度情報（受信難易度：低）を報知し、基地局１０−２では、サービスエリア１５−２内の全ての移動局２０に対して受信難易度情報（受信難易度：高）を報知する。
【００８９】
一方、移動局２０は、サービスエリア１５−１内にいる時には、基地局１０−１から報知される受信難易度情報（受信難易度：低）に基づきパスサーチ窓幅、パスサーチ周期、受信フィンガ数等を設定して受信動作を行い、その後、サービスエリア１５−２内に入った場合には、基地局１０−２から報知される受信難易度情報（受信難易度：高）に基づき、パスサーチ窓幅をそれまでより広くするとか、パスサーチ周期をそれまでより短くするとか、受信フィンガ数をそれまでより増やすといった対策を講じる。
【００９０】
これにより、移動局２０は、サービスエリア１５−１から受信難エリアであるサービスエリア１５−２に入った場合でも、該サービスエリア１５−２の受信難易度に合った効率の良いパスサーチを行って良好な受信品質を保つことができる。
【００９１】
なお、本実施例のシステムにおいて、基地局１０−１，１０−２から各サービスエリア１５−１，１５−２内の全移動局２０に報知する情報としては、これら各サービスエリア１５−１，１５−２での平均発見セル数であっても良い。
【００９２】
この場合、移動局２０は、移動中のサービスエリア１５−１または１５−２をカバーする基地局１０−１，１０−２から報知される平均発見セル数情報を上位制御部２０８に保持したうえで、マルチパス制御推定部２０９が、該平均発見セル数情報に基づき、例えば、平均発見セル数が多い場合にはパスサーチ周期を早くしたり、ハンドオーバをし易くしたりすることができる。
【００９３】
第３の実施例：
図６は、第３の実施例に係わるＣＤＭＡ無線通信システムの通信環境を示す概念図である。
【００９４】
図６において、基地局１０のサービスエリア１５内には建物４３０があり、基地局１０から見て建物４３０の陰になる位置には受信がし難い受信難スポット５００が生じている。
【００９５】
このように、建物４３０の陰等によりスポット的に受信難となる地点（受信難スポット５００）が複数存在する場合も、予め送受信テストを行うことで当該受信難スポット５００を把握することができる。
【００９６】
本実施例のシステムでは、基地局１０のサービスエリア１５内の受信難スポット５００を上記送受信テスト等により把握したうえで、該受信難スポット５００の位置情報（例えば、後述するＧＰＳに対応した位置情報）を、基地局１０から下り報知チャネルを用いてサービスエリア内の全ての移動局２０に報知する。
【００９７】
一方、本実施例に係わるシステムの移動局２０には、図２で示した構成の他に、例えば、ＧＰＳ（Global Positioning System）等、自局の現在の位置情報を取得可能な位置検出部が付加される。
【００９８】
更に、当該移動局２０のマルチパス制御値推定部２０９には、基地局１０から報知された受信難スポット位置情報と、上記位置検出部により検出された自局の位置情報とに基づき受信難スポット５００に所定距離まで近づいたことを判断し、相関器２０４及び逆拡散器２１０に各種マルチパス制御値を設定し直す制御機能が付加されている。
【００９９】
今、図６に示す通信環境において、移動局２０が、同図に示す位置（非受信難地点）から建物４３０の陰にあたる受信難スポット５００方向に移動する場合を考える。
【０１００】
この場合、基地局１０は、上述した方法により、自局のサービスエリア１５内の全ての移動局２０に対して受信難スポット位置情報を報知している。
【０１０１】
一方、移動局２０は、サービスエリア１５内で基地局１０から報知される受信難スポット位置情報を受信して上位制御部２０８に格納する。その後、マルチパス制御値推定部２０９は、上位制御部２０８に格納された受信難スポット位置情報と上記位置検出部により検出された自局の位置情報とを照合しながら、自局が受信難スポット５００に所定距離まで接近したかどうかを判断する。
【０１０２】
移動局２０が図６に示す位置にいる場合は、該移動局２０のマルチパス制御値推定部２０９において、上位制御部２０８に格納された受信難スポット位置情報と上記位置検出部により検出された自局の位置情報の離間距離が所定距離より離れていることにより自局が受信難スポット５００に接近していないと判断される。
【０１０３】
この場合、マルチパス制御値推定部２０９は、パスサーチ周期等を適宜な値に設定して受信動作（逆拡散、同期検波合成処理）を行っている。
【０１０４】
その後、移動局２０が図６に示す受信難スポット５００の所定距離まで近づくと、マルチパス制御値推定部２０９では、上位制御部２０８に格納された受信難スポット位置情報と上記位置検出部により検出された自局の位置情報の離間距離が所定距離内となることにより自局が受信難スポット５００に接近したものと判断される。
【０１０５】
この場合、マルチパス制御値推定部２０９は、パスサーチ周期をそれまでより短くしたり、ハンドオーバ状態への移行を誘発したり、基地局１０からの送信パワーを上げさせたりする等の制御を行なう。
【０１０６】
これにより、移動局２０では、サービスエリア１５内の非受信難地点から受信難スポット５００に近い位置に移動した場合も、効率の良いパスサーチを行って良好な受信品質を維持することができる。
【０１０７】
また、上記移動の間、受信難スポット５００にある程度まで近づいた地点でその旨を示す警報表示を行い、該受信難スポット５００にそれ以上近づかないように警告することもできる。
【０１０８】
この他、本発明は、上記し、且つ図面に示す実施例に限定することなく、その要旨を変更しない範囲内で適宜変形して実施できるものである。
【０１０９】
例えば、上記各実施例では、基地局１０からマルチパス情報、受信難易度情報、受信難スポット位置情報等の通知もしくは報知を受けた移動局２０において、これら通知もしくは報知情報に基づきパスサーチ周期、パスサーチ窓幅、受信フィンガ数を変化させる方法について述べたが、これ以外にも、パスサーチを行う際の検出パス数、パスサーチの累積シンボル数等を変化させるようにしても良い。
【０１１０】
具体的には、例えば、検出パス数に関しては、受信難エリアでは検出パス数を多く設定し、受信が容易なエリアでは検出パス数を少なくする。また、パスサーチの累積シンボル数に関しては、パスサーチ周期と関係があるため、パスサーチ周期を早くする（短くする）必要があるエリアでは累積シンボル数を減らして１回のパスサーチ時間を短くし、パスサーチ周期がゆっくりで良いエリアでは累積シンボル数を増やして１回のパスサーチ精度を向上させる等の工夫を行うことが考えられる。
【０１１１】
以上説明したように、本発明によれば、移動無線端末（移動局）は、基地局から伝送された受信難易度情報（請求項１記載の発明），受信難地点位置情報（請求項３記載の発明）を受信し、該受信した受信難易度情報，受信難地点位置情報に基づきパスサーチ手段のパスサーチ制御値を可変設定し、該可変設定後のパスサーチ結果または基地局から報知された受信難易度情報，受信難地点位置情報に基づき逆拡散器の逆拡散制御値を可変設定するようにしたため、基地局と移動局間の受信環境に応じて、例えば、パスサーチ手段のパスサーチ窓幅、パスサーチ周期を効率的に設定したり、動作させる逆拡散手段の数（受信フィンガ数）を適応的に変化させることができる。
これにより、受信し難い環境下では、パスサーチ窓幅を広くし短い周期でパスサーチを行いかつ受信フィンガ数を増やすなどの対策を講じることで受信品質を向上させることができ、受信し易い環境下では、逆に、パスサーチ窓幅を狭くし長い周期でパスサーチを行いかつ受信フィンガ数を減らすといった対策を講じることでパスサーチの高速化、低消費電流化を図ることができる。
【図面の簡単な説明】
【図１】本発明に係わるＣＤＭＡ無線通信システムの全体構成を示す図。
【図２】図１のシステムにおける移動局の機能構成を示すブロック図。
【図３】相関器の出力信号（相関値）の一例を示す概念図。
【図４】第１の実施例に係わるシステムのマルチパス環境を示す概念図。
【図５】第２の実施例に係わるシステムのサービスエリア配置を示す概念図。
【図６】第３の実施例に係わるシステムの通信環境を示す概念図。
【符号の説明】
１０、１０−１、１０−２  基地局
１００、１００−１、１００−２  基地局のアンテナ
１５、１５−１、１５−２  サービスエリア
２０  移動局
２０１  アンテナ
２０２  ＲＦ回路
２０３  Ａ／Ｄ変換器
２０４  相関器
２０５  信号電力積分器
２０６  パスサーチ部
２０７  パステーブル
２０８  上位制御部
２０９  マルチパス制御値推定部
２１０  逆拡散器
２１１  ＲＡＫＥ合成器
４１０、４２０、 ４３０  建物
５１０  受信難スポット
【図１】
0003836387.tif 000002
【図２】
0003836387.tif 000003
【図３】
0003836387.tif 000004
【図４】
0003836387.tif 000005
【図５】
0003836387.tif 000006
【図６】
0003836387.tif 000007